(57)【特許請求の範囲】
【請求項１】
フットレストを備えた浴槽であって、浴槽の長手方向の一端側に設けられた半身浴用のベンチ部と、ベンチ部に対向する浴槽の端部の壁面に浴槽の底から立ち上げられるようにして設けられたフットレストと、を備え、フットレストの上面が浴槽のフランジ面まで立ち上げられていることを特徴とする浴槽。
【請求項２】
請求項１記載の浴槽であって、浴槽の側壁面にはアームレストが設けられており、アームレストの下端はフットレストと連続的に接続されており、アームレストの上端は浴槽のフランジ面またはフランジ面付近まで連続的に接続されていることを特徴とする浴槽。
【請求項３】
請求項２に記載の浴槽であって、アームレストの下端が、フットレストの起立面に連続的に接続されていることを特徴とする浴槽。
【請求項４】
請求項１から３のいずれかに記載の浴槽であって、フットレストの起立面のうち、入浴者の足が当接する面に突起部を設けたことを特徴とする浴槽。
【請求項５】
請求項１から３のいずれかに記載の浴槽であって、フットレストの起立面のうち、入浴者の足が当接する面にジェット流噴射口を設けたことを特徴とする浴槽。
【発明の詳細な説明】
【技術分野】
【０００１】
本発明は、フットレストを備えた浴槽に関し、特に、半身浴用のベンチに対向する壁面にフットレストを備えた浴槽に関するものである。
【背景技術】
【０００２】
従来、図９（ａ）に示すような半身浴用のベンチ部９０が一体となった形状の浴槽９１（従来例の浴槽）が、多く使用されている。このような浴槽９１では、半身浴する際には、図９（ｂ）に示すように、入浴者９２はベンチ部９０に座り、ベンチ部９０とは対向する方向（ベンチ部と反対側）に足を向けて入浴する。全身浴をする際には、図９（ｃ）に示すように、入浴者９２は反転して半身浴とは逆にベンチ部９０方向に足を向け全身を入浴することができる。
【０００３】
同様に、全身浴用の浴槽の一端側に足を当接するストッパー段部を備え、特に全身浴用の浴槽の長手方向一端の両側面部に、足を当接させたり上に載せたりするためのストッパー段部を設けたものが知られている（特許文献１参照）。
【先行技術文献】
【特許文献】
【０００４】
【特許文献１】特開平９−１２２０３２号公報
【発明の概要】
【発明が解決しようとする課題】
【０００５】
図９に示す半身浴用のベンチ部９０が一体となった形状の従来例の浴槽９１では、入浴者９２が全身浴してから体を起こす際には、半身浴用のベンチ部９０に足を当接して踏ん張って容易に起き上がることができる。しかし、半身浴時にはベンチ部９０に座った入浴者９２（特に体の小さい人）は全身浴背壁面９３に足が届かず、踏ん張る箇所がなく起き上がりにくいという問題がある。
【０００６】
ところで、浴槽は入浴者にとってゆったりと入浴できる十分大きなスペースは必要であるが、浴槽が大きくなると水が多量に必要となるという問題があり、さらに多量の水を加温するための燃料代が必要となる。要するに、入浴者の入浴上の利便性及び快適性と、節水及び省エネルギーという点では、両立しないという問題もある。
【０００７】
本発明は、上記従来の問題を解決することを目的とし、入浴者は、全身浴及び半身浴のいずれもできて、全身浴及び半身浴のいずれからも容易に起き上がることが可能な浴槽を実現することを課題とする。
【０００８】
また、本発明は、入浴者にとって入浴上の利便性及び快適性を担保しながら、節水効果及び省エネルギー効果をも向上させる浴槽を実現することを課題とする。
【課題を解決するための手段】
【０００９】
本発明は上記課題を解決するために、フットレストを備えた浴槽であって、浴槽の長手方向の一端側に設けられた半身浴用のベンチ部と、ベンチ部に対向する浴槽の端部の壁面に浴槽の底から立ち上げられるようにして設けられたフットレストと、を備え、フットレストの上面が浴槽のフランジ面まで立ち上げられていることを特徴とする浴槽を提供する。
【００１０】
浴槽の側壁面にはアームレストが設けられており、アームレストの下端はフットレストと連続的に接続されており、アームレストの上端は浴槽のフランジ面またはフランジ面付近まで連続的に接続されている構成としてもよい。
【００１３】
アームレストの下端が、フットレストの起立面に連続的に接続されている構成としてもよい。
【００１４】
フットレストの起立面のうち、入浴者の足が当接する面に突起部を設けた構成としてもよい。
【００１５】
フットレストの起立面のうち、入浴者の足が当接する面にジェット流噴射口を設けた構成としてもよい。
【発明の効果】
【００１６】
本発明に係る浴槽は、次のような効果を奏する。
（１）半身浴用のベンチ部に対向してフットレストが設けられているから、入浴者はベンチ部に座り、足をフットレストに当接していると、半身浴する時の姿勢の安定性向上効果が得られ、起き上がる際には、足をフットレストの立ち上がり面に当接して踏ん張れば起き上がり易い。
【００１７】
（２）浴槽内に張り出すように、しかも入浴者の入浴スペースに支障が生じないようにフットレストが設けられているから、浴槽内に入れる温水量が節約でき、節水効果及び省エネルギー効果が促進される。
【図面の簡単な説明】
【００１８】
【図１】本発明に係る浴槽の実施例１を説明する図であり、（ａ）は平面図であり、（ｂ）はＡ−Ａ断面図であり、（ｃ）、（ｄ）は作用を説明する図である。
【図２】（ａ）は実施例１の変形例１の平面図を示し、（ｂ）、（ｃ）はそれぞれ実施例１の変形例２の平面図、斜視図を示す。
【図３】本発明に係る浴槽の実施例２を説明する図であり、（ａ）は平面図であり、（ｂ）は斜視図であり、（ｃ）は作用を説明する図である。
【図４】発明に係る浴槽の実施例２の変形例１を説明する図であり、（ａ）は平面図であり、（ｂ）は斜視図であり、（ｃ）は作用を説明する図である。
【図５】本発明に係る浴槽の実施例２の変形例２を説明する図であり、（ａ）は平面図であり、（ｂ）は斜視図であり、（ｃ）は作用を説明する図である。
【図６】本発明に係る浴槽の実施例３を説明する図であり、（ａ）は平面図であり、（ｂ）は斜視図であり、（ｃ）は作用を説明する図である。
【図７】本発明に係る浴槽の実施例４を説明する図であり、（ａ）は平面図であり、（ｂ）は斜視図であり、（ｃ）は作用を説明する図である。
【図８】（ａ）〜（ｄ）は本発明に係る浴槽の実施例５を説明する図であり、（ｅ）、（ｆ）は本発明に係る浴槽の実施例６を説明する図である。
【図９】従来例の浴槽を説明する図であり、（ａ）は平面図であり、（ｂ）、（ｃ）は作用を説明する断面図である。
【発明を実施するための形態】
【００１９】
本発明に係る浴槽を実施するための形態を実施例に基づき図面を参照して、以下説明する。
【実施例１】
【００２０】
図１は、本発明に係る浴槽の実施例１を説明する図である。図１（ａ）、（ｂ）に示すように、浴槽１の長手方向の一端部には、入浴者が座る半身浴用のベンチ部２が設けられている。浴槽１の長手方向の他端部の壁面、即ち、ベンチ部２に対向する浴槽１の端部の壁面（「全身浴背壁面」とも言う）３には、フットレスト４が浴槽１の底５から立ち上げられるようにして設けられている。
【００２１】
フットレスト４は、浴槽１の底５から立ち上げられた起立面６と、上面７とを有する。起立面６は、ベンチ部２に対向する正面８と、浴槽１の内側に面する内側面９を有する。正面８は、半身浴する際に入浴者１０がその足を当接する面となる。入浴者１０は、フットレスト４の上面７に足を載せてもよい。
【００２２】
本実施例１では、図１（ａ）に示すように、フットレスト４は、半身浴用のベンチ部２に座った入浴者１０から見て、浴槽１の全身浴背壁面３と浴槽１の側壁面１１とがなす左右の角部（隅部）にそれぞれ設けられている。
【００２３】
フットレスト４は、大きければそれだけ浴槽１内に張り出す体積（スペース）が大きくなり、浴槽１の容積が少なくなるので、節水効果が高まる。また、節水効果が高まれば、湯の加熱のためのエネルギーが少なくて済むから省エネルギー効果が高まる。
【００２４】
しかし、あくまでも、入浴の快適性を考え、入浴者１０の平均的な身長等、足の当接し易さ等を考慮して、フットレスト４の奥行き（浴槽１の長手方向についてのフットレスト４の長さ）、横幅（浴槽１の短手方向についてのフットレスト４の長さ）及び高さに関する寸法は、適宜設計される。
【００２５】
また、左右のフットレスト４の間隔は、入浴者１０の体が余裕をもって入る程度、特に、全身浴において、入浴者１０がその背中を全身浴背壁面３に当接して座った際に、入浴者１０の腰部が左右のフットレスト４に当たらない程度の寸法に設計される。
【００２６】
（作用）
全身浴する場合は、図１（ｃ）に示すように、入浴者１０は全身浴背壁面３に背中をもたれかけさせて、足をベンチ部２の上に載せてリラックスして入浴することができる。全身浴から起き上がる際には、足をベンチ部２の立ち上がり面１２に当接して踏ん張れば起き上がり易い。
【００２７】
半身浴する場合は、図１（ｄ）に示すように、入浴者１０はベンチ部２に座り、足をフットレスト４の起立面６の正面８に当接していると、半身浴する時の姿勢の安定性向上効果が得られる。また、半身浴から起き上がる際には、足をフットレスト４の起立面６の正面８に当接して踏ん張れば起き上がり易い。さらに、全身浴背壁面３に浴槽水循環のための循環金具（図示せず）が取付けられているような場合、フットレスト４に足を当接させておくと、循環金具付近を塞ぐものがなくなり、浴槽内の撹拌性が良くなるという効果も得られる。
【００２８】
（実施例１の変形例１）
図２（ａ）は、実施例１の変形例１を示す。この変形例１では、フットレスト４を半身浴用のベンチ部２に座った入浴者から見て、浴槽１の全身浴背壁面３と浴槽１の側壁面１１とがなす左右の角部（隅部）のいずれか一つの角部（図２（ａ）の例では右角部）に設けられている。
【００２９】
即ち、左右の角部に設けられていなくても、一方の角部に設けられていれば、入浴者は半身浴から立ち上がる際に、少なくとも片足をフットレスト４の正面８に当接することができるので、片足を踏ん張ることで起き上がり易い。
【００３０】
（実施例１の変形例２）
図２（ｂ）、（ｃ）は、実施例１の変形例２を示す。この変形例２では、フットレスト１４は、半身浴用のベンチ部２に対向する全身浴背壁面３に、浴槽１の短手方向全域（浴槽１の左右の側壁面１１の間の全域）にわたって、底５から立ち上がるように形成されている。
【００３１】
この変形例２では、半身浴する際には、フットレスト１４は短手方向全域にわたって形成されているので、入浴者は短手方向のどの位置でも自由に選択して足を載せたり当接したりすることが可能となる。また、変形例２のフットレスト１４は、浴槽１における占めるスペースが大きくなるので、節水効果及び省エネ効果がより高まる。
【実施例２】
【００３２】
図３は、本発明に係る浴槽の実施例２を説明する図である。図３（ａ）、（ｂ）に示すように、浴槽２１の長手方向の一端部には、入浴者が座る半身浴用のベンチ部２２が設けられている。
【００３３】
浴槽２１の長手方向の他端部の壁面２３、即ち、ベンチ部２２に対向する浴槽２１の端部の壁面（「全身浴背壁面」とも言う）２３と左右の側壁面２４の角部には、それぞれにフットレスト２５が設けられている。
【００３４】
フットレスト２５は、全身浴背壁面２３から側壁面２４に沿ってベンチ部２２側に向かって長細く延びるように、浴槽２１の底２６から立ち上げられて設けられている。フットレスト２５は、浴槽２１の底２６から立ち上げられた起立面２７と、上面２８とを有する。
【００３５】
起立面２７は、ベンチ部２２に対向する正面２９と浴槽２１の内側に面する内側面３０を有する。内側面３０は、平面視で略直線状の平面として形成されている。正面２９は、半身浴する際に入浴者が足を当接する面となる。入浴者は、上面２８に足を載せてもよい。
【００３６】
浴槽２１の左右の側壁面２４には、それぞれアームレスト３１が浴槽２１の内側に張り出すように形成されている。アームレスト３１は、浴槽２１の側壁面２４に沿って浴槽２１の長手方向に向けて上下方向に傾斜して形成されており、その下端３２はフットレスト２５の上面２８に段差なく連続的に接続（連接）し、その上端３３は浴槽２１のフランジ面３４と段差なく連続的に接続して形成されている。
【００３７】
フットレスト２５は、大きければそれだけ浴槽２１内に張り出す体積（スペース）が大きくなり、浴槽２１の容積が少なくなるので、節水効果が高まる。また、節水効果が高まれば、湯の加温のためのエネルギーが少なくて済むから省エネルギー効果が高まる。
【００３８】
しかし、あくまでも、入浴の快適性を考え、入浴者の平均的な身長等、足の当接し易さ等を考慮して、フットレスト２５の奥行き（浴槽２１の長手方向についてのフットレスト２５の長さ）、横幅（浴槽２１の短手方向についてのフットレスト２５の長さ）及び高さに関する寸法は、適宜設計される。また、左右のフットレスト２５の間隔は、入浴者の体が余裕をもって入る程度の寸法に設計されることが必要である。
【００３９】
（作用）
全身浴する場合は、図３（ｃ）に示すように、入浴者３５（二点鎖線で示す）は全身浴背壁面２３に背中をもたれかけさせて、足をベンチ部２２の上に載せてリラックスして入浴することができる。また入浴者３５は、その左右の腕を、それぞれフットレスト２５の上面２８からアームレスト３１の上面３６にかけて置くことが可能である。
【００４０】
この場合、フットレスト２５の上面２８とアームレスト３１の上面３６は段差がないので、入浴者３５にとって違和感はなく快適に左右の腕を置くことができ、しかも、清掃性にも優れている。そして、全身浴から起き上がる際には、足をベンチ部２２の立ち上がり面３７に当接して踏ん張れば起き上がり易い。
【００４１】
半身浴する場合は、入浴者３５はベンチ部２２に座り足をフットレスト２５に当接していると、半身浴する時の姿勢の安定性向上効果が得られる。また、半身浴から起き上がる際には、足をフットレスト２５の正面２９に当接して踏ん張れば起き上がり易い。
【００４２】
（実施例２の変形例１）
図４は、実施例２の変形例１を示す図である。この変形例２は、実施例２とほぼ同じ構成であるが、左右のフットレスト３８は、図４（ａ）、（ｂ）に示すように、それぞれその内側面３０が浴槽２１の外側方に向けて窪むように、湾曲状に形成されている構成を特徴とする。
【００４３】
入浴者３５は、図４（ｃ）に示すように全身浴するが、内側面３０が浴槽２１の外側方に向けて、湾曲状に形成されていると、入浴者３５の腰周りのホールド性が向上し、より安定した姿勢で入浴できる。
【００４４】
（実施例２の変形例２）
図５は、実施例２の変形例２を示す図である。この変形例２は、実施例２とほぼ同じ構成であるが、左右のフットレスト３９は、図５（ａ）、（ｂ）に示すように、浴槽２１の長手方向に、より短く形成されている構成を特徴とする。
【００４５】
入浴者３５は全身浴する際には、図５（ｃ）に示すように、実施例２と同様に、フットレスト３９からアームレスト３１にかけて腕を載せることができる。この変形例２は、フットレスト３９は、長手方向に短いが足を当接することができるので、比較的コンパクトな、特に長手方向の寸法が短い浴槽に適している。
【実施例３】
【００４６】
図６は、本発明に係る浴槽の実施例３を説明する図である。実施例３の浴槽４１は、実施例２の浴槽２１とほぼ同じ構成であるので、実施例２の浴槽２１と同じ構成については、同じ符号を付し説明は省略し、特に実施例２の浴槽２１と相違する特徴的な構成を中心に説明する。
【００４７】
実施例３の浴槽４１では、図６（ａ）、（ｂ）に示すように、フットレスト４２の構成は実施例２のフットレスト２５とほぼ同様であるが、半身浴用のベンチ部２２に座った入浴者から見て左右のいずれか一方の側（図６に示す例では右側）の角部のみに設けられている。
【００４８】
図６（ａ）に示すように、ベンチ部２２は、その長手方向の幅Ｗが、フットレスト４２の設けられている側（右側）に対して反対側（左側）の方が大きくなるように、前縁４３が平面視で傾斜して形成されている。このようにすると、ベンチ部２２とフットレスト４２が対向し、入浴姿勢が安定する。ただし、これに限定されず、長手方向の幅Ｗが一定であっても構わない。
【００４９】
一方、フットレスト４２は、その正面４４が、ベンチ部２２の前縁４３に対向するように、浴槽４１の平面視で若干浴槽４１の内部側に向けて傾斜し、しかも横幅方向の寸法Ｓを両足も当接可能なように、実施例２のフットレスト２５の正面２９に較べて、若干幅広に形成されている。フットレスト４２の正面４４も、ベンチ部２２同様に、傾斜していなくても良い。
【００５０】
（作用）
以上の構成から成る実施例３の浴槽４１によって、入浴者３５は、実施例２と同様に、全身浴又は半身浴をすることができる。入浴者３５が入浴姿勢から立ち上がる際には、全身浴の場合は、ベンチ部２２に足を当接し、足を踏ん張ることで立ち上がり易くなる。
【００５１】
半身浴の場合は、図６（ｃ）に示すように、入浴者３５はベンチ部２２上に座るが、その場合、浴槽４１の長手方向に足を向けて座ってもよいが、ベンチ部２２の傾斜した前縁４３に応じて、フットレスト４２方向に足を向けて若干斜めに座ることもできる。そして、片足又は両足をフットレスト４２に当接することで、半身浴する時の姿勢の安定性向上効果が得られる。
【００５２】
そして、半身浴から起き上がる際には、片足又は両足をフットレスト４２の正面４４に当接して踏ん張れば起き上がり易い。実施例２の浴槽２１では、半身浴の際に、左右のフットレスト４２に足を開いて当接するが、この実施例３の浴槽４１は、両足を開くことなく、揃えてフットレスト４２に当接できるから、特に、女性入浴者用として適している。
【実施例４】
【００５３】
図７は、本発明に係る浴槽の実施例４を説明する図である。実施例４の浴槽５１は、実施例２の浴槽２１とほぼ同じ構成であるが、フットレストの構成、及びフットレストとアームレストの連接部の構成において、一部相違する。実施例４の浴槽５１について、実施例２の浴槽２１と同じ構成については、同じ符号を付し説明は省略し、特に実施例２の浴槽２１と相違する構成を中心に説明する。
【００５４】
実施例４の浴槽５１のフットレスト５２は、実施例２の浴槽２１と同様に、浴槽５１の長手方向の他端部の壁面、即ち、ベンチ部２２に対向する浴槽５１の端部の壁面（「全身浴背壁面」とも言う）２３と半身浴用のベンチ部２２に座った入浴者から見て左右の側壁面２４の角部のそれぞれに浴槽５１の底２６から立ち上げられるように設けられている。
【００５５】
しかし、実施例４の浴槽５１のフットレスト５２は、その上面５４が浴槽５１のフランジ面３４まで立ち上げられていることを特徴とする。即ち、フットレスト５２は、浴槽５１の底２６から立ち上げられる起立面５３と上面５４を備えており、起立面５３は、正面５５と内側面５６を有する。そして、上面５４がフランジ面３４と段差無く面一となるまで立ち上げられている。
【００５６】
実施例２の浴槽２１と同様に、浴槽５１の側壁面２４に沿って形成されたアームレスト５７が、浴槽５１の長手方向に向けて上下方向に傾斜して設けられている。アームレスト５７は、その下端５８はフットレスト５２に連続的に接続し、その上端５９はフランジ面３４に接続するように形成されている。フットレスト５２とアームレスト５７の連接部６０は、次のように構成されている。
【００５７】
即ち、アームレスト５７の下端５８には、先端がフランジ面３４に向けて上昇する湾曲面６１が形成されており、この湾曲面６１とフランジ面３４に向けて立ち上げられたフットレスト５２の起立面５３のうちの正面５５（入浴者の足を当接する面）とが合流するようにして滑らかに連続的に接続している。換言すると、アームレスト５７は、フットレスト５２の起立面５３のうち正面５５から、浴槽１の長手方向のベンチ部２側に向けて形成されているとも言える。
【００５８】
（作用）
以上の構成から成る実施例４の浴槽５１によって、入浴者は、実施例２と同様に、全身浴又は半身浴をすることができる。入浴者が入浴姿勢から立ち上がる際には、全身浴ではベンチ部２２に足を当接し、半身浴の場合はフットレスト５２に足を当接して、足を踏ん張ることで立ち上がり易くなる。
【００５９】
また、フットレスト５２とアームレスト５７は段差なく滑らかに連続的に接続しているので、図７（ｃ）に示すように、入浴者３５は全身浴の際に、その腕をアームレスト５７に快適にもたれさせることができ、しかも清掃性も優れている。
【００６０】
また、浴槽５１の角部においてフットレスト５２は、入浴に際して特に支障を生じることのないように、フランジ面３４まで立ち上げられているので、浴槽５１におけるスペースを十分占めることができ、節水効果及び省エネ効果も向上する。
【実施例５】
【００６１】
本発明に係る浴槽の実施例５を説明する。この実施例５は、実施例１〜４のそれぞれの浴槽において、フットレストの正面に足裏を刺激する突起を設けた構成を特徴とする。この突起は、実施例１〜４のいずれの浴槽のフットレストの面に設けてもよいが、ここでは、一例として、実施例２の浴槽２１のフットレスト２５に設けた構成として、図８（ａ）〜（ｄ）で説明する。
【００６２】
浴槽２１は、図８（ａ）に示すように、基本的には実施例２の浴槽２１と同様の構成である。フットレスト２５には、その正面２９には、図８（ｂ）で正面図を示し、図８（ｃ）に側面図を示すように、全面に複数の小さな突起７０が散設されている。この小さな突起７０は、図８（ｄ）に拡大側面図を示すように、上面はほぼ水平に形成され、先端は丸みを帯びた凸状の突起として形成されている。なお、突起７０は複数ではなく、大きな突起（例えば、卓球玉〜野球ボール程度の大きさの突起）を一つ設ける構成としてもよい。
【００６３】
この実施例５によると、実施例１〜４の浴槽と同様に、全身浴又は半身浴が可能である。特に、入浴者はベンチ部に座って半身浴する際に、足裏をフットレスト２５の複数の突起７０に押し当て足裏を刺激して血行を良くして、疲労回復をはかるという、足裏マッサージを行うことができる。また、突起部７０があることで、半身浴から起き上がる際に、足裏が滑りにくくなり、踏ん張り易いという効果もある。
【実施例６】
【００６４】
本発明に係る浴槽の実施例６を説明する。この実施例６は、実施例１〜４のそれぞれの浴槽において、フットレストの正面にジェット流噴射口を設けた構成を特徴とする。このジェット流噴射口は、実施例１〜４のいずれの浴槽のフットレストの面に設けてもよいが、ここでは、一例として、実施例２の浴槽２１のフットレスト２５に設けた構成を、図８（ｅ）、（ｆ）で説明する。
【００６５】
浴槽２１は、図８（ｅ）に示すように、基本的には実施例２の浴槽２１と同様である。浴槽２１へジェット流用の温水を供給するジェット流用配管７５が設けられている。
【００６６】
このジェット流用配管７５は、通常は、全身浴背壁面２３に向けて設けられた背中用ノズル７６に接続されており、全身浴背壁面２３に形成されたジェット流噴射口７７から、入浴者の背中等に向けて噴射される構成となっている。
【００６７】
しかし、実施例６の浴槽２１では、ジェット流用配管７５は、左右のフットレスト２５を通して正面２９まで延びるフットレスト用ノズル７８にも接続されている。そして、フットレスト２５には、その正面２９にジェット流噴射口７９が形成されている。
【００６８】
以上の構成から成る実施例６の浴槽２１では、ジェット流用配管７５から、フットレスト用ノズル７８を通して送られてくる加圧された温水は、ジェット流噴射口７９からジェット流として噴射される。
【００６９】
従って、半身浴しながら入浴者は、足の裏面をフットレスト２５に当てることで、ジェット噴射流を足裏に受け、ジェット流噴射による足裏マッサージを受けることができ、足裏を刺激して血行を良くして、疲労回復をはかることができる。
【００７０】
以上、本発明に係る浴槽を実施するための最良の形態を実施例に基づいて説明したが、本発明はこのような実施例に限定されるものではなく、特許請求の範囲に記載された技術的事項の範囲内でいろいろな実施例があることは言うまでもない。実施例２〜６のアームレストの上端は、浴槽フランジ面まで段差なく連続して形成されているとしたが、これに限定されず、浴槽フランジ面より少し下がった位置に形成されていてもよい。
【産業上の利用可能性】
【００７１】
本発明に係る浴槽は上記のような構成であるから、一般家庭用の浴槽をはじめ、アスレチック施設、介護施設、病院、リハビリ施設等に設置される浴槽として適用可能である。
【符号の説明】
【００７２】
（実施例１）
１  浴槽                             
２  半身浴用のベンチ部               
３  全身浴背壁面                     
４、１４  フットレスト               
５  浴槽の底                         
６  フットレストの起立面             
７  フットレストの上面               
８  フットレストの正面               
９  フットレストの内側面             
１０  入浴者                         
１１  浴槽の側壁面                   
１２  ベンチ部の立ち上がり面         
（実施例２）
２１  浴槽                     
２２  半身浴用のベンチ部       
２３  全身浴背壁面             
２４  浴槽の側壁面             
２５、３８、３９  フットレスト             
２６  浴槽の底                 
２７  フットレストの起立面     
２８  フットレストの上面       
２９  起立面の正面             
３０  起立面の内側面           
３１  アームレスト             
３２  アームレストの下端       
３３  アームレストの上端       
３４  浴槽のフランジ           
３５  入浴者                   
３６  アームレストの上面       
３７  ベンチ部の立ち上がり面   
（実施例３）
４１  浴槽
４２  フットレスト
４３  ベンチ部の前縁
４４  フットレストの正面 
（実施例４）
５１  浴槽                                   
５２  フットレスト                           
５３  フットレストの起立面                   
５４  フットレストの上面                     
５５  起立面の正面                           
５６  起立面の内側面                         
５７  アームレスト                           
５８  アームレストの下端                     
５９  アームレストの上端                     
６０  フットレストとアームレストの連接部     
６１  湾曲面                                 
（実施例５）
７０  フットレストの突起 
（実施例６）
７５  ジェット流用配管
７６  背中用ノズル
７７  全身浴背壁面のジェット流噴射口
７８  フットレスト用ノズル
７９  フットレストのジェット流噴射口
（従来例）
９０  半身浴用のベンチ部
９１  浴槽
９２  入浴者
９３  全身浴背壁面
【図１】
0005630051.tif 000002
【図２】
0005630051.tif 000003
【図３】
0005630051.tif 000004
【図４】
0005630051.tif 000005
【図５】
0005630051.tif 000006
【図６】
0005630051.tif 000007
【図７】
0005630051.tif 000008
【図８】
0005630051.tif 000009
【図９】
0005630051.tif 000010